(57)【要約】【課題】本発明は、二次転写ローラの当接状態、離間状態、ローラなし、の三状態でそれぞれ異なった検出電圧を出力することとし、この検出電圧と二次転写駆動カム動作により、ローラの有無判断、当接離間状態判断、更には高圧電源故障の切り分けを可能とする画像形成装置を提供することを目的としている。【解決手段】上記課題を解決するために、本発明に係る画像形成装置の構成は、像担持体上の画像をシートに転写する転写手段と、前記転写手段を像担持体に対して当接離間を行う駆動手段と、前記転写手段に高圧電圧を印加する電圧印加手段と、前記転写手段及び前記像担持体を介して電流が流れる電流検出回路と、前記電流検出回路の結果を演算処理する検出判断手段と、前記転写手段が前記駆動手段によって離間している状態において該転写手段と接触し、前記電流検出回路に電気的に接続する離間検出用素子を設けたことを特徴とする。【選択図】　　図１
2004053637.tif 000002
【特許請求の範囲】
【請求項１】
像担持体上の画像をシートに転写する転写手段と、
前記転写手段を像担持体に対して当接離間を行う駆動手段と、
前記転写手段に高圧電圧を印加する電圧印加手段と、
前記転写手段及び前記像担持体を介して電流が流れる電流検出回路と、
前記電流検出回路の結果を演算処理する検出判断手段と、
前記転写手段が前記駆動手段によって離間している状態において該転写手段と接触し、前記電流検出回路に電気的に接続する離間検出用素子を設けたことを特徴とする画像形成装置。
【請求項２】
前記離間検出用素子は、抵抗体であることを特徴とする請求項１記載の画像形成装置。
【請求項３】
前記離間検出用素子は、容量性素子であることを特徴とする請求項１記載の画像形成装置。
【請求項４】
前記電圧印加手段と前記駆動手段とが分離されていることを特徴とする請求項１記載の画像形成装置。
【請求項５】
前記電圧印加手段と前記駆動手段とが一体であることを特徴とする請求項１記載の画像形成装置。
【請求項６】
前記検出判断手段は、ＣＰＵであることを特徴とする請求項１記載の画像形成装置。
【請求項７】
前記検出判断手段は、ハードウェア回路にて構成していることを特徴とする請求項１記載の画像形成装置。
【請求項８】
前記検出判断手段は、デジタル信号演算処理装置（ＤＳＰ）であることを特徴とする請求項１記載の画像形成装置。
【請求項９】
前記電圧印加手段は、前記転写手段に正負の直流電圧を印加することを特徴とする請求項１記載の画像形成装置。
【請求項１０】
前記転写手段はローラであることを特徴とする請求項１記載の画像形成装置。
【請求項１１】
前記転写手段が当接離間する像担持体とは、中間転写体であることを特徴とする請求項１記載の画像形成装置。
【請求項１２】
前記転写手段が当接離間する像担持体とは、感光体ドラムであることを特徴とする画像形成装置。
【発明の詳細な説明】
【０００１】
【発明の属する技術分野】
本発明は、電子写真プロセスを用いた画像形成装置に関し、特に当接離間機構を有するローラ部材の有無検出ならびに当接離間状態判断に関するものである。
【０００２】
【従来の技術】
従来技術を図面に基づいて説明する。図１９に示す中間転写体２００は不図示の像担持体からトナー像を転写されて担持するものである。中間転写体２００を支持する二次転写対向ローラ２０１には、該中間転写体２００を介して、二次転写ユニット２０２の二次転写ローラ２０３が圧接されている。そして中間転写体２００上に担持されたトナー像は、二次転写ローラ２０３によって不図示の搬送手段によって給送されたシートに転写される。
【０００３】
二次転写ユニット２０２は二次転写ユニット駆動カム２０４によって回動可能となっており、これに伴って二次転写ローラ２０３が中間転写体２００に対して離接する。二次転写ユニット駆動カム２０４はクラッチ２０５によって駆動される。
【０００４】
ここで図１９は、二次転写ローラ２０３が中間転写体２００に当接した状態を示している。このときの二次転写ローラ２０３に印加されたＴＲ２ＯＵＴは、中間転写体２００及び二次転写対向ローラ２０１を介して導通し、不図示の電圧検知用素子を用いて検知される。
【０００５】
図２０は二次転写ローラ２０３が中間転写体２００から離間した状態を示している。離間時においては、二次転写ローラ２０３は中間転写体２００、二次転写対向ローラ２０１とは接触していないために電流は流れない。従って検出電圧は回路の基準電圧Ｖｓとなる。
【０００６】
図２１に当接離間検知時の二次転写ＤＣバイアス出力ＴＲ２ＯＵＴと検出電圧を示す。当接状態において、二次転写バイアスＴＲ２ＯＵＴを印加すると、検出電圧はＶｓから印加電圧に一時的に比例増加し、二次転写ＤＣバイアスＴＲ２ＯＵＴ印加を終了すると検出電圧はＶｓに戻る（区間１から６）。一方離間時には、二次転写バイアスＴＲ２ＯＵＴを印加開始し印加電圧を増加させても検出電圧はＶｓのまま一定である。
【０００７】
このように、二次転写ユニットに二次転写ＤＣバイアスを印加して、検出電圧にて判断することにより、二次転写ローラの当接離間状態の判断が可能となる。すなわち、検出電圧≧Ｖｓのとき当接状態、検出電圧＝Ｖｓのとき離間状態である。したがって通常の印刷動作時に使用する構成を変えることなく、二次転写ローラ２０３の当接離間状態を判断することが可能である。
【０００８】
【発明が解決しようとする課題】
しかしながら上記従来例の構成にあっては、二次転写ローラ２０３の当接離間状態判断はできるものの、二次転写ローラ２０３の有無の判断はできない。即ち、二次転写ローラなしの状態と二次転写ローラ離間状態との判別ができない。なお、二次転写ユニット駆動カム２０４を動作させて何度か検出電圧を確認することで、二次転写ローラ無しと離間状態の判断は可能となるものの、複雑なシーケンスが必要となり、実質的な画像形成速度の低下を招く可能性がある。また、いずれにしても高圧電源故障との判別は不可能である。
【０００９】
そこで本発明は、二次転写ローラの当接状態、離間状態、ローラなし、の三状態でそれぞれ異なった検出電圧を出力することとし、この検出電圧と二次転写駆動カム動作により、ローラの有無判断、当接離間状態判断、更には高圧電源故障の切り分けを可能とする画像形成装置を提供することを目的としている。
【００１０】
【課題を解決するための手段】
上記課題を解決するために、本発明に係る画像形成装置の構成は、像担持体上の画像をシートに転写する転写手段と、前記転写手段を像担持体に対して当接離間を行う駆動手段と、前記転写手段に高圧電圧を印加する電圧印加手段と、前記転写手段及び前記像担持体を介して電流が流れる電流検出回路と、前記電流検出回路の結果を演算処理する検出判断手段と、前記転写手段が前記駆動手段によって離間している状態において該転写手段と接触し、前記電流検出回路に電気的に接続する離間検出用素子を設けたことを特徴とする。
【００１１】
【発明の実施の形態】
［第一実施形態］
本発明に係る画像形成装置の第一実施形態について説明する。図１は本実施形態に係る高圧電源部の二次転写バイアス制御部を示す回路、図２は画像形成装置の概略構成図、図３は二次転写ローラが中間転写体に当接した状態を示す断面図、図４は二次転写ローラが中間転写体から離間した状態を示す断面図、図５は二次転写ローラの駆動手段の動作を説明する図、図６は二次転写バイアスと検知電流の関係を示す図、図７は二次転写バイアスと検知電圧との関係を示す図、図８は当接時と離間時の二次転写バイアスと検出電圧の状態を示す図、図９は二次転写ローラが中間転写体に当接した状態を示す斜視図、図１０は二次転写ローラが中間転写体から離間した状態を示す斜視図、図１１は二次転写ローラがない状態を示す斜視図である。
【００１２】
（全体構成）
まず、図２を用いて画像形成装置の全体構成について説明する。本実施形態に係る画像形成装置は電子写真方式を採用したレーザービームプリンタ（以下プリンタ１００という）である。
【００１３】
プリンタ１００はシートＰを収納するデッキ１０１、デッキ１０１からシートＰを繰り出すピックアップローラ１０２、前記ピックアップローラ１０２によって繰り出されたシートＰを搬送するデッキ給送ローラ対１０３、１０４が設けられている。繰り出されたシートＰは、レジストローラ対１０５によって後述する感光体ドラム１１０〜１１４上の画像と同期して搬送される。
【００１４】
レジストローラ対１０５の下流には、レーザスキャナ部１０６、１０７、１０８、１０９からのレーザ光に基づいて感光体ドラム１１０、１１１、１１２、１１３上にトナー像を形成する複数のプロセスカートリッジと、感光体ドラム１１０〜１１３上に形成されたトナー像を中間転写体１１８（像担持体）上に転写するための一次転写ローラ１１４、１１５、１１６、１１７、中間転写体１１８上に形成された画像をシートＰに転写する転写手段としての二次転写ローラ１１９（転写手段）設けられている。
【００１５】
二次転写ローラ１１９の下流には、シートＰの電荷を除去し中間転写体１１８からの分離を促進するための除電針１２２が配設されている。さらに、除電針１２２の下流にシートＰ上に転写されたトナー像を熱定着するために内部に加熱用のハロゲンヒータ１２３を備えた定着ローラ１２４と加圧ローラ１２５、シートを機外に排出する排出ローラ対１２６、１２７が配設されている。
【００１６】
二次転写ローラ１１９は二次転写ユニット１２０に配設されており、二次転写ユニット１２０を二次転写ユニット駆動カム１２１（駆動手段）によって回動することにより、二次転写ローラ１１９が中間転写体１１８に対して当接、離間される。二次転写ローラ１１９は通常は中間転写体１１８から離間されており、シートＰに中間転写体１１８上の画像を転写するときのみ当接される。
【００１７】
（回路構成）
図１は高圧電源部の二次転写バイアス制御部を示す回路であり、正ＤＣバイアス出力回路、負ＤＣバイアス出力回路、負荷電流検出回路（電流検出回路）から構成されている。正ＤＣバイアス制御部は、３３ＫＨｚ、Ｄｕｔｙ５０％のＣＬＫＡ１によりＦＥＴ３が駆動され、ＦＥＴ３のドレイン端子は抵抗４及び５で駆動用電源を分圧した電圧に接続され、更にＦＥＴ６のゲートを駆動する。ＦＥＴ３ゲート−ＧＮＤ間に接続されている抵抗２はＦＥＴ３のゲートに対する静電気対策抵抗である。ＦＥＴ６のドレインはフライバックトランスの一次巻線及び共振用コンデンサ７と接続されている。フライバックトランス８の一次巻線の他方はトランジスタ１０、抵抗１１、１３、ダイオード１２、オペアンプ１４、コンデンサ１５、及び制御端子ＤＣＰＣＮＴ１６により制御される電圧が印加される。ここでアルミ電解コンデンサ９はフライバックトランス８駆動時の急峻な電流変化の場合にも駆動電圧の変動を無くするためのコンデンサである。
【００１８】
このようにフライバックトランス８の一次巻線をある一定の制御電圧で駆動することによりフライバックトランス８の出力端子ＴＲ２ＯＵＴ１７には、制御電圧に相当する高圧ＤＣバイアスが出力される。
【００１９】
一方負ＤＣバイアス出力は、４２ＫＨｚ正Ｄｕｔｙ２０％のクロック信号ＣＬＫＢ２９にてＦＥＴ２７を駆動してＦＥＴ２７のドレイン端子がインバータトランス３０の一次巻線に接続されている。インバータトランス３０の一次巻線の他一方はダイオード２６にてＧＮＤに接続されスナバを形成している。もう一方の一次巻線は、トランジスタ２３、抵抗２１、２２、ダイオード２４、オペアンプ１９、コンデンサ２０、負ＤＣバイアス制御用電圧ＤＣＮＣＯＮＴ１８により制御される電圧が印加されている。アルミ電解コンデンサ２５はインバータトランス３０の一次巻線印加電圧を一定とするためのデカップリングコンデンサである。
【００２０】
このように一次巻線を駆動することによりインバータトランス３０の二次巻線には高圧ＡＣ電圧が発生する。この高圧ＡＣバイアスを高圧コンデンサ３１、３４、高圧ダイオード３２、３３により構成される倍整流回路によって高圧負ＤＣバイアスが生成される。ここで、抵抗３５は倍整流回路に配置された高圧コンデンサ３４の放電用ブリーダ抵抗である。このインバータトランス及び倍整流回路にて生成された負ＤＣバイアスは、フライバックトランス８の二次巻線入力端子に接続され、フライバックトランス８の二次巻き線を通じて出力端子ＴＲ２ＯＵＴ１７に出力される。
【００２１】
抵抗３６は高圧バイアス出力検出用抵抗であり、フライバックトランス８に内蔵されている高圧抵抗と直列に接続され出力制御用オペアンプの反転入力端子（正バイアス制御部）、非反転入力端子（負バイアス制御部）に接続される。
【００２２】
Ｖｉｓｎｓ４６は電流検出出力端子であり、不図示の画像形成装置エンジン制御回路に接続される。電流検出回路は抵抗３７、３８、４３、４５、４７、コンデンサ４１、４４、ダイオード３９、４０、オペアンプ４２にて構成される。この回路の基準電圧はＶｓであり、抵抗３７、３８及び、基準電圧にて回路全体の電圧が生成される。すなわち負荷電流０にて検出電圧はＶｓを示し、正負荷電流が大きくなるに従い検出電圧は増加する。また負荷電流が大きくなった場合には検出電圧は減少する。
【００２３】
（転写手段の離接構成）
次に、転写手段である二次転写ローラ１１９の離接について説明する。
【００２４】
図３は二次転写ローラ１１９が中間転写体１１８に当接した状態を示している。当接時は、二次転写ローラ１１９は二次転写ユニット駆動カム１２１により二次転写ユニット１２０ごと持ち上げられ、中間転写体１１８を挟み込むように二次転写対向ローラ１３０に押し付けられている。
【００２５】
図４は二次転写ローラ１１９が中間転写体１１８から離間した状態を示している。離間時には、二次転写ローラ１１９は二次転写ユニット駆動カム１２１により二次転写ユニット１２０ごと引き下げられ、離間検出用素子である検出用抵抗Ｒｓ１３３に接し、中間転写体１１８、二次転写対向ローラ１３０からは隔離される。
【００２６】
ここで図５を用いて、二次転写ユニット駆動カム１２１の動作を説明する。二次転写ユニット駆動カム１２１はクラッチ１３２によって駆動される。クラッチ１３２は電圧を印加するとアクチュエータを吸引し、二次転写ユニット駆動カム１２１の突起が二次転写ユニット１２０から対比する方向（図中反時計回り方向）へ回動する。実線で示す位置にて停止している二次転写ユニット駆動カム１２１についているクラッチ１３２に一定時間のみ電圧印加することにより、二次転写ユニット駆動カム１２１は破線に示す位置まで移動して停止する。この位置が二次転写ユニット１２０の当接位置とし、実線の位置を離間位置とする。クラッチの動作１回毎に、二次転写ユニットは当接、離間位置を繰り返す。
【００２７】
図６に、二次転写バイアスＴＲ２ＯＵＴ１７と、検知電流（出力電流）のグラフを示す。二次転写ローラ１１９及び検出用抵抗ＲＳ１３３は、印加電圧増加に対して一次的に増加する。本実施形態にて使用した二次転写ローラ１１９の電気抵抗値は２５０ＭΩである。また検出用抵抗Ｒｓは、二次転写ローラ１１９の抵抗値と区別が容易なように３３ＭΩとした。このように抵抗値を桁違いとすることにより、状態検知の誤認率は格段に低下する。
【００２８】
図７に検知電圧Ｖｉｓｎｓと二次転写バイアスＴＲ２ＯＵＴとの関係を示す。検知電圧Ｖｉｓｎｓは、印加電圧ＴＲ２ＯＵＴ＝０Ｖ、即ち出力電流＝０の場合にはＶｓを示す。そして正バイアスを印加し正電流が流れた場合には電圧は増加し、負バイアスを印加して負電流が流れた場合には電圧はＶｓよりも低くなる。検知電圧に関しても、二次転写ローラ１１９当接時と離間時（Ｒｓ接続時）には大きな差が現れる。
【００２９】
図８に当接時と離間時の二次転写バイアスＴＲ２ＯＵＴと検出電圧の状態を示す。印加電圧の及びシーケンスは同様であるものの、当接時には、二次転写ローラ１１９のローラ抵抗Ｒｒのため電流は少なく、離間時には検出抵抗Ｒｓのため電流は多く流れる。
【００３０】
当接離間時ともに検知用二次転写バイアスを１５００Ｖとすると、当接時には、１５００／２５０ＭΩ＝６ｕＡとなり、検出電圧は、１．７８２Ｖ（図１中抵抗４４＝４７ＫΩ、Ｖｓ＝１．５Ｖ）となる。離間時には１５００／３３ＭΩ＝４５ｕＡとなり、検出電圧は３．６３６Ｖ（図１中抵抗４４＝４７ＫΩ、Ｖｓ＝１．５Ｖ）となる。これにより、二次転写ローラ１１９がどの状態にあるかを検出電圧により判断できる。
【００３１】
図９から図１１に二次転写ローラの当接（図９）、離間（図１０）、ローラなし（図１１）の状態を示す。二次転写バイアスの印加位置と離間検出抵抗は、金属からなる二次転写ローラ軸にて接続され二次転写ローラ１１９の左右両端に分かれて配置される。
【００３２】
図１１に示すように二次転写ローラなしの場合には、二次転写バイアス出力は開放されている、このために電流は流れず、検知電圧はＶｓとなる。従って、本実施手例に拠れば、二次転写ローラ１１９に当接、離間、及びローラなし状態を判別可能となる。
【００３３】
［第二実施形態］
本発明に係る画像形成装置の第二実施形態について説明する。図１２は二次転写ローラが中間転写体から離間した状態を示す斜視図、図１３は二次転写ローラが中間転写体に当接した状態を示す斜視図、図１４はローラなしで離間した状態を示す斜視図、図１５はローラなしで当接した状態を示す斜視図であって、上記第一実施形態と説明の重複する部分については同一の符号を付して説明を省略する。
【００３４】
本実施形態の特徴は、二次転写バイアスＴＲ２ＯＵＴの印加箇所を離間検知用抵抗Ｒｓと二次転写ローラ軸の同一端部側に配置し、更に二次転写ユニット１２０と一体としたことにある。
【００３５】
本実施形態においても、二次転写ローラ１１９の電気抵抗は２５０ＭΩ、検知抵抗Ｒｓ１３３の抵抗値は３３ＭΩである。図１２に示すように、二次転写ローラ１１９が正しく装着されており、中間転写体１１８から離間している時の検知電圧は、第一実施形態同様３．６３６Ｖとなる。また図１３に示すように、二次転写ローラ１１９が正しく装着されており、中間転写体１１８に当接している時の検知電圧は、第一実施形態と同様１．７８２Ｖとなる。
【００３６】
さらに図１４に示すように、ローラなしであって二次転写ユニット１２０が離間状態にある場合には、本実施形態においては二次転写出力ＴＲ２ＯＵＴの給電経路が二次転写ユニット１２０に構成されているために、検知抵抗Ｒｓ１３３に電圧が印加され、３．６３６Ｖの電圧が検知される。また図１５に示すように、ローラなしであって二次転写ユニット１２０が当接状態にある場合には、二次転写出力ＴＲ２ＯＵＴが出力開放となり、電流は流れない。従って、検知電圧はＶｓ＝１．５Ｖとなる。
【００３７】
ここで第一実施形態との相違点は、ローラなしであって離間状態にあるとき、電流の流れる経路を確保している点である。このような構成とすることにより二次転写ローラ１１９の有無及び当接離間状態判断に加え、二次転写バイアス電源故障との切り分けも可能となる。
【００３８】
具体的な判断の手順は、以下のようである。まずクラッチ１３２を動作させずに二次転写バイアス１５００Ｖを印加して、（１）検知電圧が１．７８２Ｖ付近であれば二次転写ローラ１１９が正しく装着されていることを示し、（２）検知電圧が３．６３６Ｖ付近であれば、ローラ有無に関係なく二次転写ローラ１１９が離間状態であることを示す。（３）この状態に於いてクラッチ１３２をオンして二次転写ユニット駆動カム１２１を動作させて、再びバイアスオンとする。この時の検知で電圧が１．７８２Ｖ付近であれば二次転写ローラ１１９は正しく装着されており、検知電圧がＶｓ＝１．５Ｖであれば二次転写ローラなしと判断可能できる。（４）さらに、バイアス印加して検知電圧がＶｓ＝１．５Ｖの場合には、ローラなしの場合と二次転写バイアス電源異常の場合がある、このような場合には、二次転写ユニット駆動カム１２１を動作させて二次転写バイアスを印加し、再度検知電圧をチェックする。このとき検知電圧が変わらない場合には、二次転写バイアス電源異常であると判断できる（検知電圧が３．６３６Ｖの場合にはローラなしである）。
【００３９】
二次転写バイアス電源異常の判別には、二次転写負ＤＣバイアス出力を出力して、同様の動作を実行して、検知電圧がＶｓ以下である場合には、二次転写正バイアス部の故障であると判断できる。
【００４０】
このように、二次転写バイアスの給電部を二次転写ユニット１２０に配置することにより、二次転写ローラの有無検知、二次転写ローラの当接離間の状態検知、二次転写バイアス電源の故障検知を行なうことができる。
【００４１】
［第三実施形態］
本発明に係る画像形成装置の第三実施形態について説明する。図１６は二次転写ローラが中間転写体に当接した状態を示す断面図、図１７は二次転写ローラが中間転写体から離間した状態を示す断面図、図１８は当接時と離間時の二次転写バイアスと検出電圧の状態を示す図であって、上記第一実施形態と説明の重複する部分については同一の符号を付して説明を省略する。
【００４２】
本実施形態の特徴は第一及び第二実施形態にて離間検出用素子として検知抵抗Ｒｓ１３３の代わりに、容量性素子であるコンデンサを用いたことにある。二次転写ローラ１１９の電気抵抗は２５０ＭΩとし、離間検出用コンデンサの容量は、画像形成装置の二次転写バイアス電源から二次転写ローラ１１９までの給電経路の配線容量、及び二次転写ローラ１１９の容量成分の合成容量と比較して、大きな値とする。本実施形態では１０００ｐＦの高圧コンデンサを使用している。
【００４３】
図１６に示すように当接状態にあるときは、検出用コンデンサ１３４は回路系から切り離されているために、検出電流即ち検知電圧には影響しない。二次転写ローラ当接検知用バイアス＋１５００Ｖを印加した場合には、１５００／２５０ＭΩ＝６ｕＡとなり、検出電圧は、１．７８２Ｖ（図１中抵抗４４＝４７ＫΩ、Ｖｓ＝１．５Ｖ）となる。
【００４４】
次に図１７に示すように離間状態にあるときは、二次転写ローラ１１９から切り離され、検出用コンデンサ１３４に接続される。検出用コンデンサ１３４を接続されているためにＤＣバイアス印加時にはＤＣ電流は流れないために、前述の実施形態では二次転写ローラ無しの状態と区別ができない。ここで、二次転写ＤＣバイアスの変化の検知電圧変動を捉えることにより状態把握ができることに注目した点が本実施形態の特徴である。
【００４５】
図１８は、当接離間の各状態に於いて二次転写バイアス出力をＯＦＦから２段階可変してＯＦＦした場合の検知電圧を示すものである。図１８中区間１から５は当接時の検知電圧を示す。当接状態においては、二次転写ＤＣバイアスに比例した検知電圧が現れる。区間６は二次転写バイアスのＯＦＦ期間であり、この期間に二次転写ユニット１２０が動作し二次転写ローラが離間する。区間７において二次転写バイアスをＯＦＦからＯＮすると、検出電圧端子には、二次転写バイアスＤＣ出力の変化に見合った電圧が現れる。区間８においては、二次転写バイアスＤＣ出力値に変化が無いために、検知電圧に変化は現れずにＶｓの値を示す。更に区間９においては二次転写ＤＣバイアス出力の変化があるために、検知電圧端子には二次転写バイアスの変化に応じた電圧が発生する。区間Ａにおいては区間８と同様にＶｓを示す。更に二次転写バイアスＯＦＦ期間である区間Ｂにおいては、今までと逆方向の二次転写バイアス出力の変化があるために、検知電圧に関してもＶｓからマイナス方向に振れた電圧が検知される。
【００４６】
この二次転写ＤＣバイアス出力の変化時の検知電圧変化を捉えることにより、離間状態であることを判断することが可能となる。この検知電圧の変化は画像形成装置本体内の不図示のエンジンコントローラに搭載されたＣＰＵにて行なう。
【００４７】
また、二次転写ローラ１１９なしの場合には、二次転写ユニット駆動カム１２１を何度か駆動させて前述のような二次転写ＤＣバイアス出力印加を行い、検知電圧を検知し、Ｖｓの値から変化を認識できない場合にはローラなしと判断することができる。
【００４８】
この様に、離間検出用素子として容量性素子であるコンデンサを使用した場合に於いても、二次転写ローラ１１９の有無検知及び、当接離間の状態判断を容易に行なうことができる。
【００４９】
なお、上記各実施形態においては、転写手段として二次転写ローラを用いて説明した。しかしながら本発明を使用することにより中間転写体に対する一次転写ローラ、感光体ドラムに対する帯電ローラや現像スリーブなどの当接離間、有無検知を行なうことが可能である。さらに高圧ＡＣバイアスを用いることにより、容量性成分の比率の多い帯電ローラ、現像スリーブなどの当接離間、有無検知判断の精度向上も可能である。
【００５０】
また、負荷電流を電圧変換して判断する画像形成装置のエンジンコントローラの素子をＣＰＵとしていたが、判断用素子はこの限りではなく、ＤＳＰ（Ｄｉｇｉｔａｌ　Ｓｉｇｎａｌ　Ｐｒｏｃｅｓｓｏｒ：ディジタル信号演算処理装置）、ハードウェア回路等を用いても同様の処理を行うことが可能である。
【００５１】
【発明の効果】
上記説明した如く、本発明によれば、転写手段の離間状態にて接触する離間検出用素子を新たに配置することにより、転写手段の離間状態に於いても検出電圧が基準電圧以上発生するよう設定し、当接状態、離間状態、ローラなし、の三状態でそれぞれ異なった検出電圧を出力させると共に、転写手段の駆動手段の動作とあわせて転写手段の当接離間、有無状態、更には高圧電源故障の切り分けをすることができる。
【００５２】
これにより使用者によって交換可能かつ、当接離間を行なう転写手段についての当接離間、有無の状態検知を確実に判断することが可能となり、更には高圧電源ユニットに故障があるかについても判断可能となり、使用者に対して適切な通知が可能となる。このために部品交換の必要な場合に於いても交換部品すべき部品を特定できるため、不必要な部品を交換することがなくなり、使用者の出費を最小限に抑えることが可能となる。
【００５３】
更に、検知する場合の出力電圧を低く抑えることができるために、転写手段の劣化を防止することができ、ローラ寿命が低下することがない。また状態判断のための閾値に大きな差を持たせられるために、誤検知の可能性が極めて低いため、複数回検知などの動作も不要となり、実質的な印字速度の低下を防止することができ、スループットの低下を防止することができる。
【図面の簡単な説明】
【図１】高圧電源部の二次転写バイアス制御部を示す回路である。
【図２】画像形成装置の概略構成図である。
【図３】二次転写ローラが中間転写体に当接した状態を示す断面図である。
【図４】二次転写ローラが中間転写体から離間した状態を示す断面図である。
【図５】二次転写ローラの駆動手段の動作を説明する図である。
【図６】二次転写バイアスと検知電流の関係を示す図である。
【図７】二次転写バイアスと検知電圧との関係を示す図である。
【図８】当接時と離間時の二次転写バイアスと検出電圧の状態を示す図である。
【図９】二次転写ローラが中間転写体に当接した状態を示す斜視図である。
【図１０】二次転写ローラが中間転写体から離間した状態を示す斜視図である。
【図１１】二次転写ローラがない状態を示す斜視図である。
【図１２】二次転写ローラが中間転写体から離間した状態を示す斜視図である。
【図１３】二次転写ローラが中間転写体に当接した状態を示す斜視図である。
【図１４】ローラなしで離間した状態を示す斜視図である。
【図１５】ローラなしで当接した状態を示す斜視図である。
【図１６】二次転写ローラが中間転写体に当接した状態を示す断面図である。
【図１７】二次転写ローラが中間転写体から離間した状態を示す断面図である。
【図１８】当接時と離間時の二次転写バイアスと検出電圧の状態を示す図である。
【図１９】二次転写ローラが中間転写体に当接した状態を示す斜視図である。
【図２０】二次転写ローラが中間転写体から離間した状態を示す斜視図である。
【図２１】当接時と離間時の二次転写バイアスと検出電圧の状態を示す図である。
【符号の説明】
Ｐ　　　　…シート
１　　　　…ＣＬＫＡ
２、４、５、１１、１３、２１、２２、３５、３６、３７、３８、４３、４５　　　　…抵抗
３、６　　　　…ＦＥＴ
７　　　　…共振用コンデンサ
８　　　　…フライバックトランス
９　　　　…アルミ電解コンデンサ
１０、２３　　　　…トランジスタ
１２、２４、２６、３９、４０　　　　…ダイオード
１４、１９　　　　…オペアンプ
１５、２０、４１、４４　　　　…コンデンサ
１６　　　　…ＤＣＰＣＮＴ
１７　　　　…ＴＲ２ＯＵＴ
１８　　　　…ＤＣＮＣＯＮＴ
２５　　　　…アルミ電解コンデンサ
２７　　　　…ＦＥＴ
２９　　　　…ＣＬＫＢ
３０　　　　…インバータトランス
３１、３４　　　　…高圧コンデンサ
３２、３３　　　　…高圧ダイオード
４２　　　　…オペアンプ
４６　　　　…Ｖｉｓｎｓ
４７　　　　…抵抗
１００　　　…プリンタ
１０１　　　…デッキ
１０２　　　…ピックアップローラ
１０３、１０４　　　…デッキ給送ローラ対
１０５　　　…レジストローラ対
１０６、１０７、１０８、１０９　　　…レーザスキャナ部
１１０、１１１、１１２、１１３　　　…感光体ドラム
１１４、１１５、１１６、１１７　　　…一次転写ローラ
１１８　　　…中間転写体
１１９　　　…二次転写ローラ
１２０　　　…二次転写ユニット
１２１　　　…二次転写ユニット駆動カム
１２２　　　…除電針
１２３　　　…ハロゲンヒータ
１２４　　　…定着ローラ
１２５　　　…加圧ローラ
１２６、１２７　　　…排出ローラ対
１３０　　　…二次転写対向ローラ
１３２　　　…クラッチ
１３３　　　…検出用抵抗Ｒｓ
１３４　　　…検出用コンデンサ
【図１】
2004053637.tif 000003
【図２】
2004053637.tif 000004
【図３】
2004053637.tif 000005
【図４】
2004053637.tif 000006
【図５】
2004053637.tif 000007
【図６】
2004053637.tif 000008
【図７】
2004053637.tif 000009
【図８】
2004053637.tif 000010
【図９】
2004053637.tif 000011
【図１０】
2004053637.tif 000012
【図１１】
2004053637.tif 000013
【図１２】
2004053637.tif 000014
【図１３】
2004053637.tif 000015
【図１４】
2004053637.tif 000016
【図１５】
2004053637.tif 000017
【図１６】
2004053637.tif 000018
【図１７】
2004053637.tif 000019
【図１８】
2004053637.tif 000020
【図１９】
2004053637.tif 000021
【図２０】
2004053637.tif 000022
【図２１】
2004053637.tif 000023